(57)【特許請求の範囲】
【請求項１】
本体内部に設けられたシート収納部と、前記シート収納部に設けられたシート収納用開口を開閉する扉部材とを備え、前記扉部材が閉じられた状態のときに給紙動作を行う給紙装置において、
前記扉部材が開かれる際、該扉部材に設けられた押圧部により押圧されて移動する移動部材と、
前記扉部材の開放を前記移動部材の移動により検知するように構成された検知手段と、
前記扉部材が所定角度開かれたとき、前記扉部材に設けられた押圧部と係合して該扉部材を所定角度で開かれた状態で保持する係合手段と、
を備え、
前記移動手段は付勢手段により移動方向と逆方向に付勢され、前記付勢手段の付勢力により前記係合手段との係合状態を維持することを特徴とする給紙装置。
【請求項２】
本体内部に設けられたシート収納部と、前記シート収納部に設けられたシート収納用開口を開閉する扉部材とを備え、前記扉部材が閉じられた状態のときに給紙動作を行う給紙装置において、
前記扉部材が開かれる際、該扉部材に設けられた押圧部により押圧されて移動する移動部材と、
前記扉部材の開放を前記移動部材の移動により検知するように構成された検知手段と、
前記扉部材が所定角度開かれたとき、前記扉部材に設けられた押圧部と係合して該扉部材を所定角度で開かれた状態で保持する係合手段と、
を備え、
前記係合手段は、前記移動部材の前記扉部材との接触部に設けられた凹部又は切欠き部であることを特徴とする給紙装置。
【請求項３】
前記シート収納部に収納されたシートに接離可能に設けられ、前記シートに当接して該シートを送り出す搬送手段と、
前記搬送手段から送り出されたシートを１枚ずつ分離して給紙する圧接した一対の分離給紙手段と、
前記扉部材が開かれたとき、前記シートに当接している前記搬送手段をシートから離間させる離間機構と、
前記扉部材が開かれたとき前記一対の分離給紙手段を離間させ、前記扉部材が閉じられたとき該一対の分離給紙手段を圧接させる圧接解除機構と、
前記移動部材の移動に連動して前記離間機構及び圧接解除機構を作動させる作動部材と、
を備えたことを特徴とする請求項１または２記載の給紙装置。
【請求項４】
前記シート収納部はシートを略水平方向より収納する構造であり、前記シート収納用開口は前記本体の側面及び上面にわたって形成されていることを特徴とする請求項１または２記載の給紙装置。
【請求項５】
画像形成部と、該画像形成部にシートを給紙する給紙装置とを備えた画像形成装置において、
前記給紙装置は画像形成装置本体に着脱自在に装着されると共に、前記請求項１乃至４のいずれか１項に記載のものであることを特徴とする画像形成装置。
【発明の詳細な説明】
【０００１】
【発明の属する技術分野】
本発明は、給紙装置及びこれを備えた画像形成装置に関し、特に給紙装置のシート収納部に設けられたシート収納用開口を開閉する扉部材の構造に関する。
【０００２】
【従来の技術】
従来の画像形成装置においては、記録紙（シート）を収納すると共に、この記録紙を画像形成装置本体に給紙する給紙装置を備えたものがある。図９は、このような従来の給紙装置及びこれを備えた画像形成装置の斜視図であり、同図において、４００は内部に画像形成部を備えた画像形成装置、４００Ａは画像形成装置本体、３００は、画像形成装置本体４００Ａに着脱自在に装着される給紙装置である大容量の給紙デッキである。
【０００３】
なお、この給紙デッキ３００は、内部に設けられた（シート）収納部１０８に記録紙Ｓを水平方向より収納するサイドローディングタイプのものである。
【０００４】
ところで、この収納部１０８の内部には記録材積載支持部１０９に積載された記録紙Ｓを送り出す不図示のピックアップローラが、昇降自在に、かつ回転自在に設置されており、このピックアップローラより繰り出された記録紙Ｓは、不図示の給紙ローラ対により１枚ずつ分離された後、画像形成装置本体４００Ａに搬送され、更にこの後、画像形成装置本体内部において画像が転写、定着された後、排紙部へ排紙されるようになっている。
【０００５】
ところで、給紙ローラ対は記録紙Ｓを搬送する給紙ローラと、給紙ローラと圧接すると共に給紙ローラとは逆方向に回転し、複数枚の記録紙Ｓが搬送されてきた場合に、余分な記録紙Ｓを記録紙積載支持部１０９にまで戻す働きをするリタードローラとで構成されている。
【０００６】
ここで、このリタードローラと駆動入力側たるリタード軸との間にはトルクリミッターが介装されており、このトルクリミッターにより、リタードローラに所定のトルク以上のトルクが伝わると、リタードローラは給紙ローラと連れ回りするようになっている。なお、給紙ローラ対に記録紙が挟持されていない場合、もしくは１枚だけ記録紙が搬送されてきた場合にリタードローラが給紙ローラと連れ回るように、接触圧とトルク値とが調整されている。
【０００７】
一方、同図において、１１０は収納部１０９を開閉する扉であり、この扉１１０は、不図示の回動軸を中心として水平方向に開閉されるようになっている。また、この扉１１０の先端部には突出部１０３が設けられており、給紙デッキ３００の本体側に設けられた開閉検知部１０１は、この突出部１０３を検知することにより、扉１１０の閉鎖を検知するようにしている。なお、給紙デッキ３００は、開閉検知部１０１により扉１１０が閉鎖された状態となったことを検知した後に、給紙動作を開始するように構成されている。
【０００８】
ここで、扉１１０の開閉を行うのは、大きく分けて次の２通りの場合が考えられる。１つは収納部１０８に記録紙Ｓを収納する場合であり、もう１つは収納部内にて記録紙詰まり（ジャム）を起こした記録紙Ｓを取り除く場合である。
【０００９】
ところで、従来の給紙デッキ３００では、このように記録紙Ｓを収納したり、詰まった記録紙Ｓを取り除く作業を行い易くするために、給紙ローラ間の圧接解除を行ったり、ピックアップローラを上方へ退避させる構成が要望されており、このため、例えば扉１１０の動きに合わせて給紙ローラ間の圧接解除及びピックアップローラの上方退避を行わせる構成をとるものがあった。
【００１０】
一方、扉自体においても、記録紙収納操作を行い易くするよう上下方向に開いて給紙デッキ３００の側面及び上面を開放するようにしたものがあり、このような扉の場合、横に開く扉と同様に、扉の動きに合わせて給紙ローラ間の圧接解除及びピックアップローラの上方退避を行わせる構成をとるようにしている。
【００１１】
ここで、このような上下方向に開閉される扉の場合、横開きの扉とは異なり、扉の重量による回動軸中心まわりの回転モーメントが大きくなるため、扉を開放する際に、大きな力が必要となっていた。このため、回動軸にねじりコイルバネ等の付勢手段を設け、扉を上方に付勢することにより、扉を簡単に開放することができるようにすると共に、扉を開いた状態で保持することができるようにしていた。なお、この構成の場合、扉が閉じた状態でも開く方向に（より大きな）付勢力が発生してしまうため、別のラッチ、マグネット等により扉を閉じた状態に保持していた。
【００１２】
【発明が解決しようとする課題】
しかしながら、このような従来の給紙デッキにおいては、扉の開閉を検知する機構と、給紙ローラ間の圧接解除及びピックアップローラの上方退避を行わせる機構とが別々に設けられているため、構造が複雑になると共にコストアップにつながっていた。
【００１３】
また、特に上方を開放する扉の場合、所望の開放角度で扉を保持しようとすると、ねじりコイルバネのばね力が大きなものとなってしまう。そして、このようにばね力が大きなねじりコイルバネを用いた場合、閉じ状態での開き方向の付勢力も大きなものとなり、扉を閉じた状態で保持するための機構としては強力なものが必要となる。
【００１４】
しかし、このように保持機構を強力にした場合、扉を開く時、保持機構から開放された扉が勢い余って激しい勢いで開いたり、ラッチ感覚が無いためにユーザーの操作でどの角度まで開いて良いか判断しがたく、開き過ぎてしまったりして、最悪の場合ヒンジ部の破損に至る場合があった。
【００１５】
そこで、本発明は、このような現状に鑑みてなされたものであり、扉（部材）を開いた際、所望の開放角度で扉を保持することができると共に、扉の開閉検知、給紙ローラ（分離給紙手段）間の圧接解除及びピックアップローラ（搬送手段）の退避ための構造が簡単な給紙装置及びこれを備えた画像形成装置を提供することを目的とするものである。
【００１６】
【課題を解決するための手段】
本発明は、本体内部に設けられたシート収納部と、前記シート収納部に設けられたシート収納用開口を開閉する扉部材とを備え、前記扉部材が閉じられた状態のときに給紙動作を行う給紙装置において、前記扉部材が開かれる際、該扉部材に設けられた押圧部により押圧されて移動する移動部材と、前記扉部材の開放を前記移動部材の移動により検知するように構成された検知手段と、前記扉部材が所定角度開かれたとき、前記扉部材に設けられた押圧部と係合して該扉部材を所定角度で開かれた状態で保持する係合手段と、を備え、前記移動手段は付勢手段により移動方向と逆方向に付勢され、前記付勢手段の付勢力により前記係合手段との係合状態を維持することを特徴とするものである。
【００１７】
また本発明は、本体内部に設けられたシート収納部と、前記シート収納部に設けられたシート収納用開口を開閉する扉部材とを備え、前記扉部材が閉じられた状態のときに給紙動作を行う給紙装置において、前記扉部材が開かれる際、該扉部材に設けられた押圧部により押圧されて移動する移動部材と、前記扉部材の開放を前記移動部材の移動により検知するように構成された検知手段と、前記扉部材が所定角度開かれたとき、前記扉部材に設けられた押圧部と係合して該扉部材を所定角度で開かれた状態で保持する係合手段と、を備え、前記係合手段は、前記移動部材の前記扉部材との接触部に設けられた凹部又は切欠き部であることを特徴とするものである。
【００１８】
また本発明は、前記シート収納部に収納されたシートに接離可能に設けられ、前記シートに当接して該シートを送り出す搬送手段と、前記搬送手段から送り出されたシートを１枚ずつ分離して給紙する圧接した一対の分離給紙手段と、前記扉部材が開かれたとき、前記シートに当接している前記搬送手段をシートから離間させる離間機構と、前記扉部材が開かれたとき前記一対の分離給紙手段を離間させ、前記扉部材が閉じられたとき該一対の分離給紙手段を圧接させる圧接解除機構と、前記移動部材の移動に連動して前記離間機構及び圧接解除機構を作動させる作動部材と、を備えたことを特徴とするものである。
【００２０】
また本発明は、前記シート収納部はシートを略水平方向より収納する構造であり、前記シート収納用開口は前記本体の側面及び上面にわたって形成されたものであることを特徴とするものである。
【００２３】
また本発明は、画像形成部と、該画像形成部にシートを給紙する給紙装置とを備えた画像形成装置において、前記給紙装置は画像形成装置本体に着脱自在に装着されると共に、上記のいずれかに記載のものであることを特徴とするものである。
【００２４】
また本発明のように、扉部材の開放を、検知手段は、扉部材が開かれる際、扉部材に設けられた押圧部により押圧される移動部材の移動により検知すると共に、扉部材が所定角度開かれたとき、移動部材の扉部材との接触部に設けられた係合手段に扉部材に設けられた押圧部を係合させ、扉部材を所定角度で開かれた状態で保持する。
【００２５】
さらに、扉部材が開かれたとき、移動部材の移動に連動する作動部材により、シート収納部に収納されたシートに接離可能に設けられた搬送手段がシートに当接している場合には搬送手段をシートから離間させる離間機構及び搬送手段から送り出されたシートを１枚ずつ分離して給紙する圧接した一対の分離給紙手段を離間させる圧接解除機構を作動させる。
【００２６】
【発明の実施の形態】
以下、本発明の実施の形態を図面に基づいて説明する。
【００２７】
図１は本発明の実施の形態に係る給紙装置を備えた画像形成装置の斜視図であり、同図において、２００は画像形成装置の一例であるプリンタ、２００Ａはプリンタ本体、２０１はプリンタ本体２００Ａの側壁面に形成されている給紙口、１００はプリンタ本体２００Ａに着脱自在に装着される給紙装置である大容量のサイドデッキ、１０はサイドデッキ１００の扉部材である上扉である。
【００２８】
ここで、このプリンタ２００は、図２に示すようにプリンタ２００のプリント動作、サイドデッキ１００の給紙動作等を制御するコントローラ３１を備えており、このコントローラ３１は、後述するフォトセンサ４からの信号に基づき、上扉１０が開放されたことを検知すると、給紙動作中である場合は給紙モータ３３を停止させて搬送手段であるピックアップローラ８、一対の分離給紙手段である給紙ローラ１１及びリタードローラ９を停止させるようにしている。
【００２９】
さらに、このように上扉１０が開放されたとき、後述するようにピックアップローラ８を上方へ退避させ、かつ給紙ローラ１１とリタードローラ９とを離間させるようにしている。
【００３０】
なお、このように上扉１０を開放した場合にピックアップローラ８を上方へ退避させるのは、例えば記録紙の詰まり（ジャム紙）を取り除くために上扉１０を開放した場合、ピックアップローラ８が記録紙上に降りてしまっていると、ジャム紙を引き出そうとしたときにジャム紙を通してピックアップローラ８の駆動系を回転させなければならず、非常に重たくなってしまったり、ジャム紙が破損したり、さらに最悪の場合には収納部内に残された記録紙片が画像形成装置本体に入り込んで、画像形成装置本体に重大なる損傷を与えてしまうからである。
【００３１】
また、給紙ローラ１１とリタードローラ９とを離間させるのは、ジャム処理を行う場合、ジャム紙が給紙ローラ１１とリタードローラ９間に挟み込まれた状態で停止していると、ジャム紙を引き出そうとしたときに給紙ローラ等の駆動系を回転させるだけの駆動負荷がジャム紙に加わってしまいジャム紙の損傷に至ってしまう可能性があるからである。
【００３２】
なお、本実施の形態においては、ジャム処理や記録紙の収納動作が行い易いように、上扉１０を開放した場合にはリフターモータ３２を逆回転させてリフター板３０を下降させるようにしており、このような制御を行うことにより、良好な記録紙収納性を確保することができると共にジャム処理性も向上することができる。
【００３３】
なお、同図において、３４は画像形成部であるプリンタ２００のプリンタ部であり、コントローラ３１は、このプリンタ部３４によりサイドデッキ１００から給紙された記録紙に、例えば図１に示すプリンタ２００の上部に設けられたリーダ部２０２により読み取られた原稿画像をプリント出力するようにしている。
【００３４】
一方、図１において、５０はサイドデッキ１００の記録紙（シート）収納部であり、記録紙Ｓを収納する場合は、上扉１０を開いてサイドデッキ本体１００Ａの側面及び上面に形成された記録紙（シート）収納用開口５１を開放するようにしている。
【００３５】
ここで、サイドデッキ１００は、プリンタ本体２００Ａのやや低めの位置に取付けられ、略水平方向より記録紙Ｓの収納を行う構成となっており、これに伴い上扉１０は図３に示すようにサイドデッキ本体１００Ａに設けられた回動軸５を支点として上下方向に回動するように構成されている。
【００３６】
なお、本実施の形態においては、上扉１０の重量により回動軸５に加わるモーメントを和らげ、上扉１０の開放を小さな力で行えるよう、例えば回動軸５に上扉１０を開放方向に付勢する不図示の回転ばねが取り付けられており、これにより開放操作時におけるユーザーの操作性を向上させることができる。
【００３７】
そして、このように記録紙収納部５０、記録紙収納用開口５１及び上扉１０を構成することにより、上扉１０を開けたときの開口面が広くてアクセスし易く、かつユーザーが記録紙Ｓの収納操作やジャム処理操作を行うときの開放操作感を軽いものにすることが可能となる。
【００３８】
ところで、図３において、１はサイドデッキ本体１００Ａに揺動軸６を介して揺動自在に保持された移動部材であるレバー部材であり、このレバー部材１は、一端部１ａが上扉１０に設けられた押圧部を構成するアーム部材３に下方より接している。
【００３９】
さらに、このレバー部材１の一端部１ａには係合手段である段差部１Ａが形成されており、例えば記録紙Ｓを収納する際、上扉１０が開かれると上扉１０に設けられたアーム部材３は、まずレバー部材１の一端部１ａを押圧してレバー部材１を揺動させ、この後、上扉１０が所定角度まで開かれるとアーム部材３はレバー部材１の段差部１Ａにはまり込むようになっている。
【００４０】
ここで、レバー部材１は不図示の付勢手段により矢印Ｂ方向とは反対方向に付勢されているため、この付勢手段による付勢力によりアーム部材３を段差部１Ａにはまり込んだ状態で保持することができ、上扉１０を所定角度で開かれた状態に保持することができる。
【００４１】
これにより、上記回動軸５に設けられた不図示の回転バネのばね力を大きなものとする必要がなくなり、これに伴い従来のように扉閉じ状態での開き方向の付勢力は大きくならず、また扉閉状態での保持機構として強力なものを必要としなくなるので、保持機構から開放された扉が勢い余って激しい勢いで開かれるのを防ぐことができる。また、ラッチ感覚が得られるのでユーザーの操作で所定の角度まで開けば所定の開放位置と判断でき、従来のように扉を開き過ぎ、最悪の場合ヒンジ部の破損に至ることもない。
【００４２】
なお、本実施の形態においては、レバー部材１の段差部１Ａの段差は６ｍｍ、上扉１０が保持される傾斜角度は６０度の設定となっており、これにより良好なラッチ感と開放操作感を生み出している。
【００４３】
また、４は上扉１０の開放を検知する検知手段の一例であるフォトセンサであり、このフォトセンサ４は、例えば上扉１０が閉じられている場合は、レバー部材１の一部に遮光されてＯＦＦ状態となり、上扉１０が開かれてレバー部材１が揺動すると、レバー部材１による遮光が解除されてＯＮ状態となるように構成されている。
【００４４】
そして、このフォトセンサ４のＯＦＦ状態からＯＮ状態への変化に基づきコントローラ３１（図２参照）は、上扉１０が開放されたことを検知するようにしている。なお、本実施の形態の場合、フォトセンサ４は、レバー部材１が上扉１０が閉じている状態の位置から５度傾くとＯＦＦ状態からＯＮ状態へと変化するように設定されている。
【００４５】
また、２はサイドデッキ１００のサイドデッキ本体１００Ａに揺動軸７を介して揺動自在に保持された作動部材である圧接解除入力アームであり、この圧接解除入力アーム２の一端部にはレバー部材１の他端部１ｂと上方より接する第１凸部２ａが形成され、他端部には図４に示すピックアップ解除リンク１２の上端部に接する第２凸部２ｂが形成されている。
【００４６】
ここで、このピックアップ解除リンク１２は、同図に示すようにピックアップ解除軸１６に固定されると共に、このピックアップ解除軸１６を介してサイドデッキ本体１００Ａに回動自在に保持されたものである。
【００４７】
また、このピックアップ解除リンク１２の下端部には軸１２ａが突設されており、この軸１２ａには上端部に形成された長丸穴１３ａを介してリタード解除リンク１３が回転及び移動自在に取り付けられている。さらに、このリタード解除リンク１３は、下端部に取付け軸１７を介してリタード解除アーム１５が取り付けられている。
【００４８】
そして、このように構成することにより上扉１０が開かれてレバー部材１が揺動し、これに伴って圧接解除入力アーム２が揺動すると、圧接解除入力アーム２の第２凸部２ｂによりピックアップ解除リンク１２の上端部が押圧され、ピックアップ解除リンク１２が回動する。
【００４９】
さらにこのようにピックアップ解除リンク１２が回動すると、ピックアップ解除リンク１２が回動すると共にリタード解除リンク１３が回転移動し、これに伴いリタード解除アーム１５が回動し、後述するリタードホルダー１９を押圧するようになっている。
【００５０】
なお、これらピックアップ解除リンク１２、リタード解除リンク１３、リタード解除アーム１５及びリタードホルダー１９により給紙ローラ１１とリタードローラ９の圧接を解除する圧接解除機構が構成される。
【００５１】
一方、図４において、１８はピックアップローラ８を回転自在に支持するローラホルダーであり、このローラホルダー１８はサイドデッキ本体１００Ａに回転自在に支持された給紙ローラ１１のローラ軸２４を回動中心として回動するようになっている。
【００５２】
ここで、ピックアップローラ８は、図５に示すようにアイドラギア２３を介して直接入力されている回転駆動により給紙ローラ１１と同期して回転するようになっている。さらに、このピックアップローラ８は給紙動作中１枚毎に上昇下降を繰り返すように動作するようになっており、これにより記録紙Ｓを１枚ずつ給紙ローラ側に送り出すようになっている。
【００５３】
なお、ローラホルダー１８は、ピックアップローラ８が下降した状態にあるときに所定の接触圧で記録紙に当接するように付勢ばね２０にて矢印Ｆ’に示す記録紙側に付勢されている。
【００５４】
一方、図４に示すようにピックアップ解除リンク１２のピックアップ解除軸１６の他端にはピックアップ解除アーム１４が設けられており、このピックアップ解除アーム１４は、ピックアップ解除リンク１２と一体的に回動してローラホルダ１８に突設された係止部１８ａを押圧するようになっている。なお、これらピックアップ解除リンク１２、ピックアップ解除アーム１４及びローラホルダ１８とによりピックアップローラ８を記録紙Ｓから離間させる離間機構が構成される。
【００５５】
そして、このようにピックアップ解除アーム１４により押圧されることにより、付勢ばね２０に抗しながらローラホルダー１８はローラ軸２４を回動中心として上方回動し、これによりピックアップローラ８は、仮に取り除こうとしている記録紙上に降りていた場合でも強制的に上方へ退避するようになる。
【００５６】
また、図４及び図５において、１９はリタードローラ９をリタード軸２５を介して回転自在に支持するリタードホルダーであり、このリタードホルダー１９は、サイドデッキ本体１００Ａに回動軸２２を介して回動自在に保持されると共に、リタードバネ２１により所定のリタード圧にて給紙ローラ側に付勢されている。そして、このリタードホルダー１９は、上扉１０が開かれると既述したようにリタード解除アーム１５により押圧されて矢印Ｇ方向に回動し、これによりリタードローラ９が給紙ローラ１１から離間し、圧接が解除されるようになっている。
【００５７】
なお、このリタードローラ９は、図示しない駆動源よりリタード軸２５に伝えられた駆動力により、給紙方向とは反対方向に回転するようになっている。さらに、このリタードローラ９は、リタード軸２５に取り付けられたトルクリミッター２６により所定のトルク以上のトルクが伝わると空転するようになっており、このトルクリミッター２６の働きにより複数枚の記録紙が給紙されないように設定されている。
【００５８】
次に、このように構成された給紙装置の扉開放検知動作、ピックアップローラ８の退避動作及びリタードローラの離間動作について説明する。
【００５９】
ユーザーが、例えばジャム処理のために上扉１０が開くと、上扉１０は図３に示す矢印Ａ方向に回動し、これに伴い上扉１０に設けられたアーム部材３がレバー部材１の一端部１ａを押圧し、これによりレバー部材１は、矢印Ｂ方向に揺動する。ここで、このようにレバー部材１が揺動すると、フォトセンサ４はレバー部材１が揺動する前には、レバー部材１の一部に遮光されていたのでＯＦＦ状態であったが、レバー部材１が揺動すると、レバー部材１の一部がフォトセンサ４の光軸から外れてフォトセンサ４の遮光が解除されてＯＮ検知となる。
【００６０】
そして、このフォトセンサ４のＯＦＦ状態からＯＮ状態への変化に基づきコントローラ３１は、上扉１０が開放されたことを検知し、給紙動作中である場合は給紙モータ３３を停止させてピックアップローラ８、給紙ローラ１１及びリタードローラ９を停止させる。
【００６１】
また、ユーザーにより上扉１０が開かれていき、所定の開口角度まで開かれると、上扉１０に設けられたアーム部材３は、図６に示すようにレバー部材１の段差部１Ａにはまり込む。このとき、レバー部材１は矢印Ｂ方向とは反対方向に付勢されているため、この付勢力によりアーム部材３は段差部１Ａにはまり込んだ状態で保持され、これにより上扉１０は所定角度まで開かれた状態で保持される。
【００６２】
一方、このようにレバー部材１が揺動すると、圧接解除入カアーム２は、レバー部材１により押圧され、図中矢印Ｃ方向に揺動する。そして、このように圧接解除入カアーム２が揺動すると、図７に示すように圧接解除入力アーム２の第２突起２ｂがピックアップ解除リンク１２の上端部を押圧し、これによりピックアップ解除リンク１２はピックアップ解除軸１６を回動中心として矢印Ｄ方向に回動する。
【００６３】
さらに、このようにピックアップ解除リンク１２が回動すると、このピックアップ解除軸１６の他端に設置されたピックアップ解除アーム１４がローラホルダ１８に突設された係止部１８ａを押圧し、これ伴いローラホルダー１８は図８に示す矢印Ｆ方向に付勢ばね２０に抗しながら回動する。
【００６４】
これにより、ローラホルダー１８の他端に取り付けられたピックアップローラ８は、仮に取り除こうとしている記録紙上に降りていた場合でも、強制的に上方へ退避する。
【００６５】
一方、このようにピックアップ解除リンク１２が回動すると、ピックアップ解除リンク１２の下端に回転、移動自在に取り付けられたリタード解除リンク１３がピックアップ解除リンク１２の軸１２ａを支点として図７の矢印Ｅ方向に回転する。
【００６６】
そして、このようにリタード解除リンク１３が回転すると、リタード解除リンク１３の取付け軸１７に取り付けられたリタード解除アーム１５が図８の矢印Ｅ方向に回動してリタードホルダー１９を押圧し、これによりリタードホルダー１９はリタードバネ２１に抗しながら図中Ｇ方向に回動し、リタードローラ９は給紙ローラ１１から離間され、圧接が解除される。
【００６７】
このように、上扉１０が開かれることにより、ピックアップローラ８が退避させられ、リタードローラ９が離間されることで、ジャムした記録紙を取り除く際に、良好な操作性を実現することができる。
【００６８】
さらに、上扉１０が開かれたとき、レバー部材１の移動により上扉１０が開かれたことを検知すると共に、レバー部材１の移動に連動して離間機構及び圧接解除機構を作動させることにより、上扉１０の開閉検知、リタードローラ９及び給紙ローラ１１の圧接解除並びにピックアップローラ８の退避ための構造を簡単にすることができ、コストを低減することができる。
【００６９】
なお、本実施の形態では、サイドデッキ１００をプリンタ本体２００から引き離してジャム処理する場合も想定されるので、図示しない脱着レバーがプリンタ本体２００からの位置に応じて変位するように設定すると共に、サイドデッキ１００のプリンタ本体２００からの離脱動作に連動して脱着レバーの変位をリタード解除アーム１５の他端に入力することにより、リタード解除アーム１５を図７の矢印Ｅ方向に回転させるようにしてもよい。
【００７０】
ここで、このような入力が行われた場合には、これまで説明してきたリンク機構の逆の入力順序により、同等にリタードローラ９の離間と、ピックアップローラ８の上方退避が行われるようになっている。
【００７１】
なお、これまでの説明において、検知手段としてはフォトセンサを例に挙げたが、レバー部材１との接触によりレバー部材１の移動を検知するマイクロスイッチ等の接触型センサでも同等の効果が得られることは言うまでもない。また、これまでの説明において係合手段として、レバー部材１に設けた段差部１Ａを例に挙げたが、窪みや、Ｖ字曲げ等その他凹部形状であっても良いことは言うまでもない。
【００７２】
【発明の効果】
以上説明したように本発明のように、扉部材が所定角度開かれたとき、扉部材に設けられた押圧部に押圧されて移動する移動部材の、扉部材との接触部に設けられた係合手段に扉部材の押圧部を係合させることにより、扉部材を所定角度で開かれた状態で保持することできる。
【００７３】
さらに、扉部材が開かれたとき、移動部材の移動により扉部材が開かれたことを検知すると共に、移動部材の移動に連動して搬送手段をシートから離間させる離間機構及び搬送手段から送り出されたシートを１枚ずつ分離して給紙する圧接した一対の分離給紙手段を離間させる圧接解除機構を作動させることにより、扉部材の開閉検知、分離給紙手段の圧接解除及び搬送手段の退避ための構造を簡単にすることができる。
【図面の簡単な説明】
【図１】本発明の実施の形態に係る給紙装置を備えた画像形成装置の斜視図。
【図２】上記画像形成装置の制御ブロック図。
【図３】上記給紙装置の上扉部分の拡大図。
【図４】上記給紙装置の離間機構及び圧接解除機構を説明する斜視図。
【図５】上記上扉が閉じられている時のピックアップローラ、給紙ローラ及びリタードローラの状態を示す図。
【図６】上記上扉が開かれたときの上扉部分の状態を説明する斜視図。
【図７】上記上扉が開かれたときの離間機構及び圧接解除機構を状態を説明する斜視図。
【図８】上記上扉が開かれたときのピックアップローラ、給紙ローラ及びリタードローラの状態を示す図。
【図９】従来の給紙装置及びこれを備えた画像形成装置の斜視図。
【符号の説明】
１            レバー部材
１Ａ          段差部
２            圧接解除入力アーム
３            アーム部材
４            フォトセンサ
８            ピックアップローラ
９            リタードローラ
１０          上扉
１１          給紙ローラ
１２          ピックアップ解除リンク
１３          リタード解除リンク
１４          ピックアップ解除アーム
１５          リタード解除アーム
１８          ローラホルダ
１９          リタードホルダー
３１          コントローラ
３４          プリンタ部
５０          記録紙収納部
５１          記録紙収納用開口
１００        サイドデッキ
２００        プリンタ
２００Ａ      プリンタ本体
【図１】
0003566572.tif 000002
【図２】
0003566572.tif 000003
【図３】
0003566572.tif 000004
【図４】
0003566572.tif 000005
【図５】
0003566572.tif 000006
【図６】
0003566572.tif 000007
【図７】
0003566572.tif 000008
【図８】
0003566572.tif 000009
【図９】
0003566572.tif 000010